(57)【要約】【課題】検煙部から排出した空気を、流路合流部を介して気流管に介在されたファンの通気口から安定して供給することができる煙感知器に関する。【解決手段】流入口（８）と流出口（９）とを有する検煙部（４）と、監視空間に敷設されたサンプリング管に連結され、かつ、ファン（３）を介在する気流管（２）と、該気流管（２）に設けられ、前記検煙部（４）の流入口（８）に連結された流路分岐部（５）と、前記気流管（２）に設けられ、前記検煙部（４）の流出口（９）にサンプリング空気排出用配管（１０）を介して連結された流路合流部（１１）とを設けた煙感知器（１）において、前記流路合流部（１１）は、前記ファン（３）の前記流路分岐部（５）より圧力が低い通気口（３ａ）に対して噴射する前記サンプリング空気排出用配管（１０）より大きい開口を有するノズル部（１２）を備えている煙感知器とする。【選択図】  図２
2009245138.tif 000002
【特許請求の範囲】
【請求項１】
流入口と流出口とを有する検煙部と、監視空間に敷設されたサンプリング管に連結され、かつ、ファンを介在する気流管と、該気流管に設けられ、前記検煙部の流入口に連結された流路分岐部と、前記気流管に設けられ、前記検煙部の流出口に排出用配管を介して連結された流路合流部とを設ける煙感知器において、
前記流路合流部は、前記ファンの前記流路分岐部より圧力が低い通気口に対して噴射する前記排出用配管より大きい開口を有するノズル部を設けることを特徴とする煙感知器。
【請求項２】
前記ノズル部の開口が調整可能であることを特徴とする請求項１記載の煙感知器。
【発明の詳細な説明】
【技術分野】
【０００１】
この発明は、火災により発生する空気中に浮遊する煙等の汚染物質を光学的に検知し、火災を報知する煙感知器に関するものである。
【背景技術】
【０００２】
火災予防や煙発生時の検知システムとして、或いは、一定の環境保全を必要とする半導体製造工場や食品工場において、煙感知器が使用されている。
【０００３】
従来の煙検出システムは、入口マニホールドはファンの吸入口に接続されている。このファンは空気をパイプを介して入口マニホールドに吸引させる。
ファンを通る全空気流れのうち、サンプリング目的で使用される非常に小さな割合を除き、ファンからの出口は排気ラインを介して大気に直接あるいは排気パイプに排気される。
そして、サンプリング目的に使用される流れの部分は、フィルタを通過して、煙検出器の検出チャンバーの入口に入る。検出チャンバーの出口は入口マニホールドに接続されていた。（特許文献１）
【０００４】
【特許文献１】特表２０００−５０９５３５公報
【発明の開示】
【発明が解決しようとする課題】
【０００５】
従来の煙検出システムは、入口マニホールドはファンの吸入口に接続されている。このファンは空気をパイプを介して入口マニホールドに吸引させる。ファンを通る全空気流れのうちサンプリング目的で使用される非常に小さな割合を除き、ファンからの出口は排気ラインを介して大気に直接あるいは排気パイプに排気される。
【０００６】
そして、サンプリング目的で使用される流れの部分は、フィルタを通過して、煙検出器の検出チャンバーの入口に入る。検出チャンバーの出口は入口マニホールドに接続されていた。ただし、接続部分の開口が小さく、サンプリング用の分岐部の流れの圧力損失が大きくなっていた。
【０００７】
この発明は、上記の事情に鑑み、検煙部を有する分岐部流れの圧力損失を小さくするとともに、検煙部から排出されたサンプリング空気流れと、ファンが吸引した気流管のサンプリング空気流れと、を安定して合流させることができるようにすることを目的とする。
【課題を解決するための手段】
【０００８】
この発明は流入口と流出口とを有する検煙部と、監視空間に敷設されたサンプリング管と、該サンプリング管に連結され、ファンを介在する気流管と、該気流管に設けられ、前記検煙部の流入口に連結された流路分岐部と、前記気流管に設けられ、前記検煙部の流出口に排出用配管を介して連結された流路合流部とを設ける煙感知器において、前記流路合流部は、前記ファンの前記流路分岐部より圧力が低い通気口に対して噴射する前記排出用配管より大きい開口を有するノズル部を設けることを特徴とする煙感知器としたことである。
【０００９】
また、前記ノズル部の開口が調整可能であることを特徴とする煙感知器としたことである。
【発明の効果】
【００１０】
この発明は、以上の様に構成したので、流路分岐部と流路合流部との間に発生する圧力差により、気流管内を流れるサンプリング空気の一部は、前記流路分岐部から検煙部内に導入され、前記検煙部を通って流路合流部から前記気流管に戻される。
このとき、検煙部から排出用配管を介して排出されたサンプリング空気が、ファンの流路分岐部より圧力が低い通気口に対してほぼ均一に広がって噴射する排出用配管より大きい開口を有するノズル部を備えた流路合流部を経て合流される。
従って、検煙部を有する分岐部流れの圧力損失を小さくできるので、分岐部流れの流量を増加させることができる。また、検煙部から排出されたサンプリング空気流れと、ファンが吸引した気流管のサンプリング空気流れとを、安定して合流させることができる。
【００１１】
さらに、流路合流部のノズルの開口の幅を調整可能とするため、様々な大きさのファンが使用できる。
【発明を実施するための最良の形態】
【００１２】
この発明の実施の形態を実施例に基づき図面を参照して説明する。
図１及び図２は、この発明の煙感知器の実施例であり、煙感知器１は、図示していない監視空間に配置したサンプリング管に気流管２を接続し、該気流管２の上流部（１次側）に監視空間の汚染空気を、サンプリング空気Ａとして吸引及び排出するファン３（例えば、ブロアファン）を配設し、前記気流管２の下流部（２次側）に、前記ファン３から排出されたサンプリング空気Ａの一部、すなわち、感知対象となるサンプリング空気ＳＡを検煙部４に流入させる流路分岐部５を形成して成る。
【００１３】
前記流路分岐部５には、感知対象となるサンプリング空気ＳＡを流通させるサンプリング空気流入用配管６が接続され、該サンプリング空気流入用配管６の一端を、フィルタ７及び図示されていない発光素子とフォトダイオード受光素子から成る光学的煙検出手段、空気の流量の測定手段等から成る煙検出ユニットを内蔵する検煙部４のサンプリング空気ＳＡの流入口８に接続する。
【００１４】
一方、検煙部４のサンプリング空気ＳＡの流出口９に、サンプリング空気排出用配管１０の一端を接続し、該検煙部４を通ったサンプリング空気排出用配管１０の他端の流路合流部を、前記ファン３の回転翼の周縁直近などの流路分岐部より圧力が低い通気口３ａに接続する。
【００１５】
流路合流部１１は、サンプリング空気排出用配管１０より大きい開口が形成されたファン３の通気口３ａと、一端はサンプリング空気排出用配管１０に接続し、他端はファン３の通気口３ａとほぼ同じ開口を有し、ファン３の通気口３ａに対してほぼ均一に広がる流れをもってサンプリング空気ＳＡを噴射可能なノズル１２を設けて成るものである。
これにより、検煙部４を有する分岐部流れの圧力損出を小さくするとともに、検煙部４から排出されたサンプリング空気流れと、ファン３が吸引した気流管２のサンプリング空気流れと、を安定して合流させることができる。
【００１６】
また、前記ノズル１２の一例を図３により説明する。検煙部４を通ったサンプリング空気排出用配管１０の他端の流路合流部１１を形成する開口端に、図３（ａ）に示す様に、ファン３の通気口３ａの開口径とほぼ同じ開口Ｗ１を有する外筒１３を設けて成るもので、この外筒１３は、図３の（ｂ）に示す様に伸縮可能に形成することによりノズル１２の噴射口の大きさを、ファン３の通気口３ａの開口より大きい開口Ｗ２に調整可能に構成して成るものである。
通気口３ａに安定したほぼ均一流れを供給するために、ノズル１２の先端が徐々に広がる形状にしてもよい。
【００１７】
なお、実施例では外筒１３の内部に左右に伸縮可能な内筒１４を内蔵させ、リベット等の留め具１５が留め穴１６に差し込まれことで、開口Ｗ１又はＷ２の所定の幅とすることができる。
なお、伸縮可能なノズルが上記実施例のものに限定されるものでない。
図中Ｐ１は空気流入口、Ｐ２は空気排出口である。
【図面の簡単な説明】
【００１８】
【図１】この発明の煙感知器の構成図である。
【図２】この発明の要部の説明図である。
【図３】図（ａ）は、本発明に用いるノズルの斜視図であり、図（ｂ）は図（ａ）のノズルを伸ばした斜視図である。
【符号の説明】
【００１９】
１  煙感知器
２  気流管
３  ファン
３ａ  通気口  
４  検煙部
５  流路分岐部
６  サンプリング空気流入用配管
７  フィルタ
８  流入口
９  流出口
１０  サンプリング空気排出用配管
１１  流路合流部
１２  ノズル部
【図１】
2009245138.tif 000003
【図２】
2009245138.tif 000004
【図３】
2009245138.tif 000005